(57)【特許請求の範囲】
【請求項１】
コンピュータを、
車外用撮像部が車両の周囲の状態を撮像する動作と、前記車外用撮像部とは異なる車内用撮像部が、所定のメッセージが表示される表示領域を含む車内の状態を撮像する動作とを制御する撮像制御部、
前記表示領域に表示された前記所定のメッセージが車外及び車内から視認可能な透過型のディスプレイである表示部に前記所定のメッセージを表示させる表示制御部、及び
前記撮像制御部が前記車外用撮像部に撮像させている状態において、前記表示制御部が前記表示部に前記所定のメッセージを表示させた場合に、前記所定のメッセージが表示されたことを示す第１履歴情報として、前記所定のメッセージが表示されたときに前記撮像制御部が前記車内用撮像部に撮像させた撮像画像を、前記所定のメッセージが表示された表示時刻を含む所定の期間において前記撮像制御部が前記車外用撮像部に撮像させた撮像画像に関連付けて記録する情報記録部、
として機能させるためのプログラム。
【請求項２】
前記情報記録部は、前記表示時刻と、前記表示部が表示した前記所定のメッセージの内容とを含むログ情報を、前記所定のメッセージが表示されたことを示す第２履歴情報として記録する、
請求項１に記載のプログラム。
【請求項３】
前記表示制御部は、それぞれ異なる前記車両の位置に設置された複数の前記表示部のうち、少なくとも一部の前記表示部に前記所定のメッセージを表示させ、
前記情報記録部は、前記表示制御部が前記所定のメッセージを表示させた前記表示部を識別するための表示部識別情報をさらに含む前記ログ情報を記録する、
請求項２に記載のプログラム。
【請求項４】
前記情報記録部は、前記所定のメッセージが表示されたことを示すための付加情報を、前記表示制御部が前記表示部に前記所定のメッセージを表示させたときに前記車外用撮像部が撮像した撮像画像に重畳する、
請求項１から３のいずれか一項に記載のプログラム。
【請求項５】
前記コンピュータを、前記表示部に前記所定のメッセージを表示させるための表示指示を、前記車両の搭乗者から受け付ける指示受付部としてさらに機能させ、
前記表示制御部は、前記指示受付部が受け付けた前記表示指示に対応する前記所定のメッセージを前記表示部に表示させる、
請求項１から４のいずれか一項に記載のプログラム。
【請求項６】
前記コンピュータを、記憶部に記憶されているそれぞれ異なる複数の前記所定のメッセージの中から、前記指示受付部が受け付けた前記表示指示に対応する前記所定のメッセージを選択する選択部としてさらに機能させ、
前記表示制御部は、前記選択部が選択した前記所定のメッセージを前記表示部に表示させる、
請求項５に記載のプログラム。
【請求項７】
前記コンピュータを、前記車両の周囲における他の車両の接近を検出する検出部としてさらに機能させ、
前記表示制御部は、前記検出部が前記他の車両の接近を検出した場合に、前記他の車両が接近したことに対応する前記所定のメッセージを前記表示部に表示させる、
請求項１から６のいずれか一項に記載のプログラム。
【請求項８】
車外用撮像部が車両の周囲の状態を撮像する動作と、前記車外用撮像部とは異なる車内用撮像部が、所定のメッセージが表示される表示領域を含む車内の状態を撮像する動作とを制御する撮像制御部と、
前記表示領域に表示された前記所定のメッセージが車外及び車内から視認可能な透過型のディスプレイである表示部に前記所定のメッセージを表示させる表示制御部と、
前記撮像制御部が前記車外用撮像部に撮像させている状態において、前記表示制御部が前記表示部に前記所定のメッセージを表示させた場合に、前記所定のメッセージが表示されたことを示す履歴情報として、前記所定のメッセージが表示されたときに前記撮像制御部が前記車内用撮像部に撮像させた撮像画像を、前記所定のメッセージが表示された表示時刻を含む所定の期間において前記撮像制御部が前記車外用撮像部に撮像させた撮像画像に関連付けて記録する情報記録部と、
を有する情報記録装置。
【請求項９】
コンピュータが実行する、
車外用撮像部が車両の周囲の状態を撮像する動作と、前記車外用撮像部とは異なる車内用撮像部が、所定のメッセージが表示される表示領域を含む車内の状態を撮像する動作とを制御するステップと、
前記表示領域に表示された前記所定のメッセージが車外及び車内から視認可能な透過型のディスプレイである表示部に前記所定のメッセージを表示させるステップと、
前記車外用撮像部に撮像させている状態において、前記表示部に前記所定のメッセージを表示させた場合に、前記所定のメッセージが表示されたことを示す履歴情報として、前記所定のメッセージが表示されたときに前記車内用撮像部に撮像させた撮像画像を、前記所定のメッセージが表示された表示時刻を含む所定の期間において前記車外用撮像部に撮像させた撮像画像に関連付けて記録するステップと、
を有する情報記録方法。
【発明の詳細な説明】
【技術分野】
【０００１】
本発明は、情報を記録するプログラム、情報記録装置及び情報記録方法に関する。
【背景技術】
【０００２】
近年、車間距離を詰めたり、幅寄せしたり、蛇行運転したりする、いわゆるあおり運転が社会的な問題となっている。特許文献１には、ドライブレコーダに関する技術が開示されている。
【先行技術文献】
【特許文献】
【０００３】
【特許文献１】特開２０２０−００５１４８号公報
【発明の概要】
【発明が解決しようとする課題】
【０００４】
ドライブレコーダで車両の周囲の状態が撮像された撮像画像を記録することにより、車両のドライバーは、あおり運転の被害にあった場合に、当該撮像画像であおり運転の被害にあったことを証明することができるように思える。しかしながら、撮像画像では、例えば、あおり運転をしている車両が意図的に車両間隔を狭くしているのか、単に車両間隔を狭くする癖があるのかがわからない。したがって、上記撮像画像だけでは、あおり運転の被害にあったことを証明するための証拠として十分ではない場合があった。
【０００５】
そこで、本発明はこれらの点に鑑みてなされたものであり、あおり運転の加害者が取った行動と、当該あおり運転の被害者が取った行動とを含むあおり運転に関する一連の事実を客観的に証明するための証拠を提供することができるプログラム、情報記録装置及び情報記録方法を提供することを目的とする。
【課題を解決するための手段】
【０００６】
本発明の第１の態様にかかるプログラムは、コンピュータを、撮像部が車両の周囲の状態を撮像する動作を制御する撮像制御部、車外から視認可能な前記車両の位置に設置された表示部に所定のメッセージを表示させる表示制御部、及び前記撮像制御部が前記撮像部に撮像させている状態において、前記表示制御部が前記表示部に前記所定のメッセージを表示させた場合に、前記所定のメッセージが表示されたことを示す履歴情報を、前記所定のメッセージが表示された表示時刻を含む所定の期間において前記撮像制御部が前記撮像部に撮像させた撮像画像に関連付けて記録する情報記録部、として機能させる。
【０００７】
前記情報記録部は、前記表示時刻と、前記表示部が表示した前記所定のメッセージの内容とを含むログ情報を、前記履歴情報として記録してもよい。
前記表示制御部は、それぞれ異なる前記車両の位置に設置された複数の前記表示部のうち、少なくとも一部の前記表示部に前記所定のメッセージを表示させ、前記情報記録部は、前記表示制御部が前記所定のメッセージを表示させた前記表示部を識別するための表示部識別情報をさらに含む前記ログ情報を記録してもよい。
【０００８】
前記情報記録部は、前記所定のメッセージが表示されたことを示すための付加情報を、前記表示制御部が前記表示部に前記所定のメッセージを表示させたときに前記撮像部が撮像した撮像画像に重畳してもよい。
【０００９】
前記表示部は、表示領域に表示した前記所定のメッセージが車外及び車内から視認可能な透過型のディスプレイであり、前記撮像制御部は、前記撮像部である車外用撮像部とは異なる車内用撮像部が前記表示領域を含む車内の状態を撮像する動作をさらに制御し、前記情報記録部は、前記所定のメッセージが表示されたときに前記撮像制御部が前記車内用撮像部に撮像させた撮像画像を、前記履歴情報として記録してもよい。
【００１０】
前記プログラムは、前記コンピュータを、前記表示部に前記所定のメッセージを表示させるための表示指示を、前記車両の搭乗者から受け付ける指示受付部としてさらに機能させ、前記表示制御部は、前記指示受付部が受け付けた前記表示指示に対応する前記所定のメッセージを前記表示部に表示させてもよい。
【００１１】
前記プログラムは、前記コンピュータを、記憶部に記憶されているそれぞれ異なる複数の前記所定のメッセージの中から、前記指示受付部が受け付けた前記表示指示に対応する前記所定のメッセージを選択する選択部としてさらに機能させ、前記表示制御部は、前記選択部が選択した前記所定のメッセージを前記表示部に表示させてもよい。
【００１２】
前記プログラムは、前記コンピュータを、前記車両の周囲における他の車両の接近を検出する検出部としてさらに機能させ、前記表示制御部は、前記検出部が前記他の車両の接近を検出した場合に、前記他の車両が接近したことに対応する前記所定のメッセージを前記表示部に表示させてもよい。
【００１３】
本発明の第２の態様にかかる情報記録装置は、撮像部が車両の周囲の状態を撮像する動作を制御する撮像制御部と、車外から視認可能な前記車両の位置に設置された表示部に所定のメッセージを表示させる表示制御部と、前記撮像制御部が前記撮像部に撮像させている状態において、前記表示制御部が前記表示部に前記所定のメッセージを表示させた場合に、前記所定のメッセージが表示されたことを示す履歴情報を、前記所定のメッセージが表示された表示時刻を含む所定の期間において前記撮像制御部が前記撮像部に撮像させた撮像画像に関連付けて記録する情報記録部と、を有する。
【００１４】
本発明の第３の態様にかかる情報記録方法は、コンピュータが実行する、撮像部が車両の周囲の状態を撮像する動作を制御するステップと、車外から視認可能な前記車両の位置に設置された表示部に所定のメッセージを表示させるステップと、前記撮像部に撮像させている状態において、前記表示部に前記所定のメッセージを表示させた場合に、前記所定のメッセージが表示されたことを示す履歴情報を、前記所定のメッセージが表示された表示時刻を含む所定の期間において前記撮像部に撮像させた撮像画像に関連付けて記録するステップと、を有する。
【発明の効果】
【００１５】
本発明によれば、あおり運転の加害者が取った行動と、当該あおり運転の被害者が取った行動とを含むあおり運転に関する一連の事実を客観的に証明するための証拠を提供することができるという効果を奏する。
【図面の簡単な説明】
【００１６】
【図１】情報記録システムの概要を説明するための図である。
【図２】情報記録装置の構成を示す図である。
【図３】メッセージ管理データベースの構成の一例を示す図である。
【図４】車内用のドライブレコーダが撮像した撮像画像を模式的に表した図である。
【図５】撮像部が撮像した撮像画像を模式的に表した図である。
【図６】情報記録装置の処理の流れを示すフローチャートである。
【発明を実施するための形態】
【００１７】
［情報記録システムＳの概要］
図１は、情報記録システムＳの概要を説明するための図である。図１に示す例において、車両Ｖは、車両Ｗからあおられている車両であり、車両Ｗは、車両Ｖをあおっている車両である。本実施の形態にかかる情報記録システムＳは、車両Ｖの周囲の状態を撮像した撮像画像とともに、車両Ｗのドライバーによる運転が故意に行われたあおり運転であるか否かを判別するための情報を記録する。情報記録システムＳは、あおり運転であるか否かを判別するための情報として、車両Ｖが、車両Ｗに対して所定のメッセージを表示したことを示す情報を記録する。情報記録システムＳがこのような履歴情報を撮像画像に関連付けて記録することで、あおり運転が行われていたか否かを客観的に判別しやすくなる。
【００１８】
情報記録システムＳは、表示装置１と、情報記録装置２とを有する。表示装置１は、車両Ｖにおいて、車外から視認可能な位置に設置された装置であり、例えば、表示領域に表示した所定のメッセージが車外及び車内から視認可能な透過型のディスプレイである。表示装置１は、車両Ｖのガラス面（例えば窓等）の表示領域に所定のメッセージを投影するプロジェクタであってもよいし、液晶等の非透過型のディスプレイであってもよい。
【００１９】
表示装置１は、情報記録装置２の表示部として機能し、情報記録装置２から取得した所定のメッセージを表示する。所定のメッセージは、例えば、車両Ｗのドライバーの運転を注意するためのメッセージである。
【００２０】
情報記録装置２は、車両Ｖに設置されたコンピュータであり、例えばドライブレコーダである。情報記録装置２は、例えば、表示装置１と電気的に接続されており、所定のメッセージを表示装置１に表示させる。情報記録装置２は、Ｂｌｕｅｔｏｏｔｈ（登録商標）をはじめとする近距離無線通信を介して表示装置１に所定のメッセージを表示させてもよい。
【００２１】
図１に示す例において、表示装置１及び情報記録装置２は、車両Ｖの後方に設置されている。この場合、表示装置１は、車両Ｖの後方を走行する車両Ｗのドライバーに向けて所定のメッセージを表示する。また、情報記録装置２は、車両Ｖの後方の状態を撮像する。
【００２２】
なお、表示装置１及び情報記録装置２は、車両Ｖの後方に限らず、車両Ｖの前方、左方、又は右方に設置されてもよい。また、表示装置１及び情報記録装置２は、車両Ｖの前方、後方、左方及び右方それぞれに設置されてもよい。この場合、複数の情報記録装置２のうちのいずれか１つの情報記録装置２が、他の情報記録装置２を制御してもよい。
【００２３】
まず、情報記録装置２は、車両Ｖのエンジンが始動すると、車両Ｖの後方の状態の撮像を開始する。情報記録装置２は、例えば、車両Ｖと車両Ｗとの車間距離が近い場合に、図１に示すようなメッセージＭを表示装置１に表示させる。そして、情報記録装置２は、履歴情報を、車両Ｖの後方の状態が撮像された撮像画像に関連付けて記録する。履歴情報は、メッセージＭが表示装置１に表示されたことを示す情報であり、車両Ｗのドライバーによるあおり運転が故意であるか否かを判別するための情報である。
【００２４】
このようにすることで、情報記録システムＳは、車両Ｗのドライバー（加害者）が取った行動と、車両Ｖのドライバー（被害者）が取った行動とを含むあおり運転に関する一連の事実を客観的に証明するための証拠を提供することができる。これにより、情報記録システムＳは、車両Ｖの搭乗者があおり運転の被害にあったことを証明するための証拠を提供することができる。例えば、情報記録装置２がメッセージＭを表示装置１に表示させたにもかかわらず、車両Ｗのドライバーが、あおり運転をやめなかった場合、故意であおり運転をした蓋然性が高い。したがって、車両Ｖの搭乗者は、履歴情報と、メッセージＭが表示装置１に表示される前後の期間に撮像された撮像画像を用いることにより、車両Ｗのドライバーが故意であおり運転をしたことを証明することができる。
以下、情報記録装置２の構成について説明する。
【００２５】
［情報記録装置２の構成］
図２は、情報記録装置２の構成を示す図である。情報記録装置２は、撮像部２１と、第１インターフェイス部２２と、第２インターフェイス部２３と、記憶部２４と、制御部２５とを有する。撮像部２１は、車両Ｖの周囲の状態を撮像するために用いられる車外用撮像部であり、例えばカメラである。
【００２６】
第１インターフェイス部２２は、表示装置１と接続するためのインターフェイスであり、例えばＵＳＢ（Universal Serial Bus）である。第１インターフェイス部２２は、Ｂｌｕｅｔｏｏｔｈをはじめとする近距離無線通信で表示装置１と接続するための通信モジュールであってもよい。
【００２７】
第２インターフェイス部２３は、ハンズフリー機能を有する不図示の外部装置と接続するためのインターフェイスであり、例えば、近距離無線通信で外部装置と接続するための通信モジュールである。外部装置は、搭乗者が発話した内容を示す音声情報を取得するための装置であり、例えば、車両Ｖに搭載されている車載装置又は搭乗者が使用するスマートフォン等である。なお、第２インターフェイス部２３は、音声情報を取得するマイクであってもよい。
【００２８】
記憶部２４は、ＲＯＭ（Read Only Memory）、ＲＡＭ（Random Access Memory）及びハードディスク等の記憶媒体である。記憶部２４は、制御部２５が実行するプログラムを記憶している。記憶部２４は、表示装置１に表示させる所定のメッセージを管理するメッセージ管理データベースを記憶している。
【００２９】
図３は、メッセージ管理データベースの構成の一例を示す図である。図３に示すように、メッセージ管理データベースは、メッセージと、キーワードとを関連付けて記憶している。メッセージ管理データベースに記憶されている「メッセージ」は、表示装置１に表示させる所定のメッセージである。メッセージ管理データベースに記憶されている「キーワード」は、関連付けられているメッセージを選択するための情報である。
【００３０】
図２に戻り、制御部２５は、例えばＣＰＵ（Central Processing Unit）である。制御部２５は、記憶部２４に記憶されたプログラムを実行することにより、撮像制御部２５１、表示制御部２５２、指示受付部２５３、選択部２５４、検出部２５５及び情報記録部２５６として機能する。
【００３１】
撮像制御部２５１は、撮像部２１が車両Ｖの周囲の状態を撮像する撮像動作を制御する。撮像制御部２５１は、例えば、車両Ｖが備える不図示のスタータボタンが押下されたことに応じて車両Ｖのエンジンが始動した場合に、撮像部２１に撮像動作を開始させ、当該スタータボタンが押下されたことに応じて車両Ｖのエンジンが停止した場合に、撮像部２１に撮像動作を停止させる。撮像制御部２５１は、例えば、撮像部２１が撮像した撮像画像を揮発性メモリ（例えばＲＡＭ）に記憶させる。
【００３２】
表示制御部２５２は、表示装置１に所定のメッセージを表示させる。具体的には、まず、表示制御部２５２は、第１インターフェイス部２２を介して所定のメッセージを示すメッセージ情報を表示装置１に送信する。そして、表示装置１は、情報記録装置２からメッセージ情報を取得すると、当該メッセージ情報が示す所定のメッセージを表示する。
【００３３】
表示制御部２５２は、例えば、車両Ｖの搭乗者の指示に応じて、所定のメッセージを表示させる。具体的には、まず、指示受付部２５３は、第２インターフェイス部２３を介して、表示装置１に所定のメッセージを表示させるための表示指示を、搭乗者から受け付ける。そして、表示制御部２５２は、指示受付部２５３が受け付けた表示指示に対応する所定のメッセージを表示装置１に表示させる。
【００３４】
より具体的には、まず、搭乗者が表示指示の内容（例えば、「車間距離を保ってください」等）を発話すると、外部装置は、当該搭乗者が発話した内容を示す音声情報を取得する。指示受付部２５３は、第２インターフェイス部２３を介して外部装置から音声情報を取得し、取得した音声情報をテキスト情報に変換する。そして、表示制御部２５２は、変換されたテキスト情報を、表示指示に対応する所定のメッセージとして表示装置１に表示させる。このようにすることで、情報記録装置２は、搭乗者が表示させたいメッセージを表示装置１に表示させることができる。
【００３５】
なお、表示制御部２５２は、変換されたテキスト情報に予め定められたキーワードが含まれている場合に、当該キーワードの後の文字列を、表示指示に対応する所定のメッセージとして表示装置１に表示させてもよい。例えば、キーワードが、「メッセージを表示して」であり、搭乗者が「メッセージを表示して。車間距離を保ってください。」と発話した場合、表示制御部２５２は、キーワードの後の文字列として、「車間距離を保ってください」を表示装置１に表示させる。
【００３６】
車両Ｖの搭乗者は、あおり運転を受けると、表示させたいメッセージを冷静に考えることが困難な場合がある。表示装置１に表示させるメッセージに車両Ｖの搭乗者の感情的な表現が含まれてしまうと状況が悪化してしまう可能性があるため、車両Ｗのドライバーに配慮したメッセージを表示させることが望ましい。そこで、表示制御部２５２は、予め定められた複数の所定のメッセージの中から、表示指示に対応する所定のメッセージを表示装置１に表示させてもよい。
【００３７】
具体的には、まず、選択部２５４は、メッセージ管理データベースに記憶されている複数の所定のメッセージの中から、指示受付部２５３が受け付けた表示指示に対応する所定のメッセージを選択する。そして、表示制御部２５２は、選択部２５４が選択した所定のメッセージを表示装置１に表示させる。
【００３８】
例えば、搭乗者が「車間距離が詰まっているから後ろの車を注意して。」と発話したとする。この場合において、選択部２５４は、図３に示すメッセージ管理データベースにおいて、変換されたテキスト情報に含まれる「車間距離」と「注意」とを含むキーワードに関連付けて記憶されているメッセージ「車間距離を保ってください」を、表示指示に対応する所定のメッセージとして選択する。このようにすることで、情報記録装置２は、適切なメッセージを表示装置１に表示させることができる。
【００３９】
なお、表示制御部２５２は、車両Ｖのそれぞれ異なる位置に複数の表示装置１が設置されている場合、複数の表示装置１のうち、少なくとも一部の表示装置１に所定のメッセージを表示させてもよい。表示制御部２５２は、例えば、変換されたテキスト情報に所定のメッセージを表示させる表示装置１を指定するためのキーワードが含まれている場合に、当該キーワードが示す表示装置１に所定のメッセージを表示させる。表示装置１を指定するためのキーワードは、例えば、「後ろ」、「前」等の方向を示す文字列、又は表示装置１に予め設定された番号等である。
【００４０】
表示制御部２５２は、車両Ｖと車両Ｗとの車間距離が短い場合に、所定のメッセージを表示装置１に表示させてもよい。具体的には、まず、検出部２５５は、車両Ｗの接近を検出する。検出部２５５は、例えば、撮像部２１が撮像した撮像画像において車両Ｗの面積の割合が所定の閾値より高い場合に、車両Ｗの接近を検出する。例えば、車両Ｖには、車両Ｖと車両Ｗとの車間距離を測定する不図示の測定装置（例えば、ステレオカメラ又は赤外線センサー等）が備えられており、検出部２５５は、測定装置が測定した車両Ｗまでの距離が所定の閾値より短い場合に、車両Ｗの接近を検出してもよい。
【００４１】
そして、表示制御部２５２は、検出部２５５が車両Ｗの接近を検出した場合に、車両Ｗが接近したことに対応する所定のメッセージを表示装置１に表示させる。車両Ｗが接近したことに対応する所定のメッセージは、例えば、予め情報記録装置２に設定されている。このようにすることで、情報記録装置２は、車両Ｖの周囲の状態に応じて所定のメッセージを表示させることができる。なお、検出部２５５は、車両Ｖが所定の速度で走行している場合に、車両Ｗの接近を検出する処理を実行してもよい。
【００４２】
情報記録部２５６は、所定のメッセージが表示装置１に表示されたことを示す履歴情報と、所定の期間において撮像制御部２５１が撮像部２１に撮像させた撮像画像とを記録する。具体的には、情報記録部２５６は、撮像制御部２５１が撮像部２１に撮像させている状態において、表示制御部２５２が表示装置１に所定のメッセージを表示させた場合に、履歴情報を、所定の期間に対応する撮像画像に関連付けて記録する。
【００４３】
所定の期間は、所定のメッセージが表示された表示時刻を含む期間であり、例えば、表示時刻を基準とする予め定められた期間（例えば、表示時刻の５分前から表示時刻の５分後までの期間等）である。所定の期間は、表示装置１に所定のメッセージが表示されたときに接近した車両Ｗとの距離が所定の閾値より短くなったときから、当該距離が所定の閾値より長くなったときまでの期間であってもよい。
【００４４】
例えば、まず、情報記録部２５６は、揮発性メモリに記憶されている撮像画像の中から、所定の期間において撮像制御部２５１が撮像部２１に撮像させた撮像画像を読み出す。そして、情報記録部２５６は、読み出した撮像画像と、当該撮像画像のファイル名を含む履歴情報とを不揮発性メモリ（例えばＲＯＭ等）に記憶させることにより、履歴情報と撮像画像とを関連付けて記録する。
【００４５】
情報記録部２５６は、例えば、表示制御部２５２が表示装置１に所定のメッセージを表示させる処理を実行したときのログ情報を、履歴情報として記録する。具体的には、情報記録部２５６は、表示時刻と、表示装置１が表示した所定のメッセージの内容とを含むログ情報を、履歴情報として記録する。このようにすることで、情報記録装置２は、表示装置１に所定のメッセージが表示されたことを記録することができる。
【００４６】
情報記録部２５６は、車両Ｖにおいて複数の表示装置１がそれぞれ異なる位置に設置されている場合、所定のメッセージが複数の表示装置１のうちのいずれかに表示されたことを示すための情報をさらに記録してもよい。具体的には、情報記録部２５６は、表示制御部２５２が所定のメッセージを表示させた表示装置１に対応する表示部識別情報をさらに含むログ情報を記録する。
【００４７】
表示部識別情報は、表示装置１を識別するための情報であり、例えば、表示装置１が設置された方向を示す文字列（例えば、後方等）、又は表示装置１に予め設定された番号等である。このようにすることで、情報記録装置２は、所定のメッセージがどの表示装置１に表示されたかを記録することができる。
【００４８】
情報記録部２５６は、車内の状態を撮像するために設けられた車内用のドライブレコーダが撮像した撮像画像を記録してもよい。車内用のドライブレコーダは、例えば、情報記録装置２と電気的に接続されており、撮像部２１とは異なる撮像部であって、情報記録装置２の車内用撮像部として機能する。
【００４９】
図４は、車内用のドライブレコーダが撮像した撮像画像を模式的に表した図である。図４に示すように、撮像画像には、表示装置１の表示領域Ｒが含まれており、表示領域Ｒに表示された所定のメッセージを確認することができる。
【００５０】
この場合において、まず、撮像制御部２５１は、車内用のドライブレコーダが表示装置１の表示領域Ｒを含む車内の状態を撮像する撮像動作をさらに制御する。そして、情報記録部２５６は、所定のメッセージが表示されたときに撮像制御部２５１が車内用のドライブレコーダに撮像させた撮像画像を、履歴情報として記録する。
【００５１】
例えば、まず、情報記録部２５６は、所定のメッセージが表示されたときに撮像された撮像画像を車内用のドライブレコーダの揮発性メモリから読み出す。そして、情報記録部２５６は、読み出した撮像画像を車内用のドライブレコーダの不揮発性メモリに記憶させるとともに、当該撮像画像のファイル名を含む履歴情報を情報記録装置２の不揮発性メモリに記憶させる。
【００５２】
情報記録部２５６は、読み出した撮像画像を車内用のドライブレコードから取得し、取得した撮像画像と履歴情報とを情報記録装置２の不揮発性メモリに記憶させてもよい。このように、情報記録装置２は、所定のメッセージが表示されたときに車内用のドライブレコーダが撮像した撮像画像を記録することにより、表示装置１に所定のメッセージが表示されたことを記録することができる。
【００５３】
情報記録部２５６は、表示装置１に所定のメッセージが表示されたことを示すための情報を撮像画像に付加してもよい。具体的には、情報記録部２５６は、所定のメッセージが表示されたことを示すための付加情報を、表示制御部２５２が表示装置１に所定のメッセージを表示させたときに撮像部２１が撮像した撮像画像に重畳する。付加情報は、例えば、表示された所定のメッセージ及びマーク等である。
【００５４】
図５は、撮像部２１が撮像した撮像画像を模式的に表した図である。図５に示すように、撮像画像には、付加情報として、表示装置１に表示された所定のメッセージを示す表示欄Ａが重畳されている。このようにすることで、情報記録装置２は、撮像画像が閲覧されたときに、いつ所定のメッセージが表示装置１に表示されたかを把握させることができる。
【００５５】
［情報記録装置２の処理］
続いて、情報記録装置２の処理の流れについて説明する。図６は、情報記録装置２の処理の流れを示すフローチャートである。本フローチャートは、撮像制御部２５１が、撮像部２１に撮像動作を開始させたことを契機として開始する（Ｓ１）。
【００５６】
指示受付部２５３は、第２インターフェイス部２３を介して、表示装置１に所定のメッセージを表示させるための表示指示を、搭乗者から受け付ける（Ｓ２）。選択部２５４は、メッセージ管理データベースに記憶されている複数の所定のメッセージの中から、指示受付部２５３が受け付けた表示指示に対応する所定のメッセージを選択する（Ｓ３）。
【００５７】
表示制御部２５２は、選択部２５４が選択した所定のメッセージを表示装置１に表示させる（Ｓ４）。そして、情報記録部２５６は、撮像制御部２５１が撮像部２１に撮像させている状態において、表示制御部２５２が表示装置１に所定のメッセージを表示させた場合に、当該所定のメッセージが表示されたことを示す履歴情報を、所定の期間に対応する撮像画像に関連付けて記録する（Ｓ５）。
【００５８】
［本実施の形態における効果］
以上説明したとおり、情報記録装置２は、車両Ｖの周囲の状態が撮像させている状態において、表示装置１に所定のメッセージを表示させた場合に、当該所定のメッセージが表示されたことを示す履歴情報を、当該所定のメッセージが表示された表示時刻を含む所定の期間において撮像された撮像画像に関連付けて記録する。このようにすることで、情報記録装置２は、あおり運転の加害者が取った行動と、当該あおり運転の被害者が取った行動とを含むあおり運転に関する一連の事実を客観的に証明するための証拠を提供することができる。これにより、情報記録装置２は、車両Ｖの搭乗者があおり運転の被害にあったことを証明するための証拠を提供することができる。
【００５９】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００６０】
１  表示装置
２  情報記録装置
２１  撮像部
２２  第１インターフェイス部
２３  第２インターフェイス部
２４  記憶部
２５  制御部
２５１  撮像制御部
２５２  表示制御部
２５３  指示受付部
２５４  選択部
２５５  検出部
２５６  情報記録部
Ｓ  情報記録システム
Ｖ  車両
Ｗ  車両
【要約】      （修正有）【課題】あおり運転の加害者が取った行動と、当該あおり運転の被害者が取った行動とを含むあおり運転に関する一連の事実を客観的に証明するための証拠を提供する。【解決手段】情報記録増値２は、撮像部２１が車両の周囲の状態を撮像する動作を制御する撮像制御部２５１、車外から視認可能な車両の位置に設置された表示部に所定のメッセージを表示させる表示制御部２５２及び撮像制御部２５１が撮像部２１に撮像させている状態において、表示制御部２５２が表示部に所定のメッセージを表示させた場合に、所定のメッセージが表示されたことを示す履歴情報を、所定のメッセージが表示された表示時刻を含む所定の期間において撮像制御部２５１が撮像部２１に撮像させた撮像画像に関連付けて記録する情報記録部２５６を備える。【選択図】図２【図１】
0006804676.tif 000002
【図２】
0006804676.tif 000003
【図３】
0006804676.tif 000004
【図４】
0006804676.tif 000005
【図５】
0006804676.tif 000006
【図６】
0006804676.tif 000007